【手続補正書】
【提出日】平成28年8月12日(2016.8.12)
【手続補正１】
【補正対象書類名】特許請求の範囲
【補正対象項目名】全文
【補正方法】変更
【補正の内容】
【特許請求の範囲】
【請求項１】
動画を記録媒体に記録するように制御する動画記録手段と、
前記動画の記録を継続しながら、記録中の該動画の一部であるシーンの開始と終了を示す情報を記録中の動画に関連付けて記録するように制御する情報記録手段と、
前記動画記録手段での動画の記録中に、記録中の動画に関連付けて記録された前記情報に対応する複数のシーンの合計時間を表示するように制御する表示制御手段と
を有することを特徴とする画像記録装置。
【請求項２】
前記複数のシーン合計時間には、前記記録中の動画のうちいずれのシーンにも対応しない期間の時間は含まれないことを特徴とする請求項１に記載の画像記録装置。
【請求項３】
前記情報は、前記シーンの開始を示すイン点と終了を示すアウト点の情報を含むことを特徴とする請求項１または２に記載の画像記録装置。
【請求項４】
前記表示制御手段は、前記動画の記録中であって、前記情報として最後に記録されたのがシーンの開始を示す情報ではなくシーンの終了を示す情報である場合には、記録済みのシーンの開始を示す情報とシーンの終了を示す情報の対に基づくシーンの開始からシーンの終了までの時間を、複数対分合計した合計時間を表示するように制御するとともに、表示された前記合計時間は動画の記録が継続してもカウントアップしないことを特徴とする請求項１乃至３のいずれか１項に記載の画像記録装置。
【請求項５】
前記表示制御手段は、前記動画の記録中であって、前記情報として最後に記録されたのがシーンの終了を示す情報ではなくシーンの開始を示す情報である場合には、記録済みのシーンの開始を示す情報とシーンの終了を示す情報の対が示すシーンの開始からシーンの終了までの時間を複数対分合計した時間と、最後にシーンの開始を示す情報が記録されてから現在までの時間との合計時間を表示するとともに、表示された前記合計時間を動画の記録の継続に従ってカウントアップして表示するように制御することを特徴とする請求項１乃至４のいずれか１項に記載の画像記録装置。
【請求項６】
シーンの開始を示す情報及びシーンの終了を示す情報は時間を示す情報であることを特徴とする請求項１乃至５のいずれか１項に記載の画像記録装置。
【請求項７】
前記表示制御手段は更に、前記動画の記録中に、前記情報として最後に記録されたのがシーンの開始を示す情報かシーンの終了を示す情報なのかに応じて異なる表示をするように制御することを特徴とする請求項１乃至６の何れか１項に記載の画像記録装置。
【請求項８】
動画の記録中に前記情報記録手段によるシーンの開始を示す情報とシーンの終了を示す情報の記録を行なわない第１の記録モードと、動画の記録中に前記情報記録手段によるシーンの開始を示す情報とシーンの終了を示す情報の記録を行うことのできる第２の記録モードとを含む複数の記録モードのいずれかに設定する設定手段を更に有することを特徴とする請求項１乃至７のいずれか１項に記載の画像記録装置。
【請求項９】
前記表示制御手段は、前記第２の記録モードに設定されている場合に、該第２の記録モードに設定されていることを示す表示をするように制御することを特徴とする請求項８に記載の画像記録装置。
【請求項１０】
前記表示制御手段は更に、前記第１の記録モードでの動画の記録中に特定の表示アイテムを表示することで記録中であることを示し、
前記第２の記録モードにおける動画の記録中で、かつ、前記情報として最後に記録されたのがシーンの終了を示す情報である場合には前記特定の表示アイテムを表示せず、前記第２の記録モードにおける動画の記録中で、かつ、前記情報として最後に記録されたのがシーンの開始を示す情報である場合には前記特定の表示アイテムを表示することを特徴とする請求項８または９に記載の画像記録装置。
【請求項１１】
前記シーンの開始と終了はそれぞれ、動画記録中のユーザからの操作に応じて決まることを特徴とする請求項１乃至１０の何れか１項に記載の画像記録装置。
【請求項１２】
前記表示制御手段は、動画の記録中のユーザからの操作に応じて、前記シーンに含まれない期間も含む記録中の前記動画の記録時間を表示するように制御することを特徴とする請求項１乃至１１の何れか１項に記載の画像記録装置。
【請求項１３】
前記動画記録手段は、前記動画を複数の記録媒体に並行して記録することが可能であり、
前記表示制御手段は、前記複数の記録媒体のそれぞれに対応して記録中の動画に関連付けて記録された前記情報に対応する複数のシーンの合計時間のうち最も長い時間を表示するように制御することを特徴とする請求項１乃至１２の何れか１項に記載の画像記録装置。
【請求項１４】
撮像手段を更に有し、前記動画記録手段は、前記撮像手段で撮像された動画を記録するように制御することを特徴とする請求項１乃至１３の何れか１項に記載の画像記録装置。
【請求項１５】
前記表示制御手段は、動画の記録中のユーザーからの操作に基づいて、前記合計時間と、前記シーンに含まれない期間を含む記録中の動画の記録時間とを含むステータス画面を表示するように制御し、
前記表示制御手段は、前記ステータス画面においては、前記情報として最後に記録されたのがシーンの終了を示す情報であるかシーンの開始を示す情報であるかに関わらず動画の記録中には動画の記録の継続に従って前記記録時間をカウントアップして表示するように制御することを特徴とする請求項１乃至１４のいずれか１項に記載の画像記録装置。
【請求項１６】
動画を記録媒体に記録するように制御する動画記録ステップと、
前記動画の記録を継続しながら、記録中の該動画の一部であるシーンの開始と終了を示す情報を記録中の動画に関連付けて記録するように制御する情報記録ステップと、
前記動画記録ステップでの動画の記録中に、記録中の動画に関連付けて記録された前記情報に対応する複数のシーンの合計時間を表示するように制御する表示制御ステップと
を有することを特徴とする画像記録装置の制御方法。
【請求項１７】
コンピュータを、請求項１乃至１５のいずれか１項に記載された画像記録装置の各手段として機能させるためのプログラム。
【請求項１８】
コンピュータを、請求項１乃至１５のいずれか１項に記載された画像記録装置の各手段として機能させるためのプログラムを格納したコンピュータが読み取り可能な記憶媒体。
【手続補正２】
【補正対象書類名】明細書
【補正対象項目名】０００７
【補正方法】変更
【補正の内容】
【０００７】
上記課題を解決するために、本発明の画像記録装置は、
動画を記録媒体に記録するように制御する動画記録手段と、
前記動画の記録を継続しながら、記録中の該動画の一部であるシーンの開始と終了を示す情報を記録中の動画に関連付けて記録するように制御する情報記録手段と、
前記動画記録手段での動画の記録中に、記録中の動画に関連付けて記録された前記情報に対応する複数のシーンの合計時間を表示するように制御する表示制御手段と
を有することを特徴とする。
動画を記録媒体に記録するように制御する動画記録手段と、
前記動画の記録を継続しながら、記録中の該動画の一部であるシーンの開始と終了を示す情報を記録中の動画に関連付けて記録するように制御する情報記録手段と、
前記動画記録手段での動画の記録中に、記録中の動画に関連付けて記録された前記情報に対応する複数のシーンの合計時間を表示するように制御する表示制御手段と
を有することを特徴とする
【手続補正３】
【補正対象書類名】図面
【補正対象項目名】図１０
【補正方法】変更
【補正の内容】
【図１０】
2015041962.tif 000001